(57)【要約】【課題】年金又は保険金の支給に関してさまざまな条件の場合を簡単な構成で説明することができる。【解決手段】年齢表示バー２１〜２５には、それぞれ世帯主、配偶者、子の年齢を表示する目盛りが形成されている。これらのバーはＸ方向に往復移動が可能であり、加入者の家族の年齢構成に合わせてバー同士の位置を調整することができる。マーカ２１ａや２２ａ、支給項目ラベル４１等は、年金の支給項目に応じた支給年齢を年齢の目盛りと関連付けるための表示である。マーカ２１ａ等は年齢表示バー２１〜２５に直接形成されている。支給項目ラベル４１等は磁気シートになっており、ホワイトボード３２の記載面３２ａに着脱可能である。【選択図】図１
2010262036.tif 000002
【特許請求の範囲】
【請求項１】
年金又は保険金の支給に関する情報を表示する表示装置であって、
一方向に沿った往復移動が可能な部材であって、当該部材上の前記一方向に関する位置と年金又は保険の加入者の年齢とを関連付ける表示である年齢表示が形成された加入者年齢表示部材と、
前記加入者年齢表示部材とは独立に前記一方向に沿った往復移動が可能な部材であって、当該部材上の前記一方向に関する位置と年金又は保険の加入者の家族の年齢とを関連付ける表示である年齢表示が形成された家族年齢表示部材と、
前記加入者年齢表示部材及び家族年齢表示部材の少なくともいずれかにおける前記年齢表示と年金又は保険金の支給年齢とを関連付ける表示である支給表示が形成された支給表示部材とを備えており、
前記加入者年齢表示部材の前記年齢表示において前記一方向に関して１歳分に相当する間隔と、前記家族年齢表示部材の前記年齢表示において前記一方向に関して１歳分に相当する間隔とが、互いに等しいことを特徴とする支給情報表示装置。
【請求項２】
前記支給表示が、前記加入者年齢表示部材及び家族年齢表示部材の少なくともいずれかに形成されていることを特徴とする請求項１に記載の支給情報表示装置。
【請求項３】
前記支給表示部材が、前記加入者年齢表示部材及び家族年齢表示部材の近傍に着脱可能であることを特徴とする請求項１又は２に記載の支給情報表示装置。
【請求項４】
前記支給表示が、支給項目の違いに応じて異なっており、
支給項目ごとの説明書きを表示する説明表示部材をさらに備えていることを特徴とする請求項１〜３のいずれか１項に記載の支給情報表示装置。
【請求項５】
前記説明表示部材が表示する前記説明書きと前記支給表示とを支給項目ごとに関連付ける表示が、前記加入者年齢表示部材、家族年齢表示部材、及び、支給表示部材の少なくともいずれかに形成されていることを特徴とする請求項４に記載の支給情報表示装置。
【請求項６】
前記年齢表示部材が、前記一方向に沿って長尺に形成されており、複数の側面を有する角柱形状を有しており、
前記側面ごとに前記年齢表示が形成されており、
前記年齢表示部材が、前記一方向に沿った回転軸を中心に回転可能であることを特徴とする請求項１〜５のいずれか１項に記載の支給情報表示装置。
【発明の詳細な説明】
【技術分野】
【０００１】
本発明は、年金又は保険に関する情報を表示する支給情報表示装置に関する。
【背景技術】
【０００２】
年金や保険は非常に複雑に設定されている場合があり、加入者等にその内容を説明するのは困難な作業になることがある。例えば、非特許文献１には、公的年金及び個人年金制度に関する説明が記載されている。本文献の１３ページ及び１４ページの例は、夫が６０歳になる年齢以降において、年金の支給内容がどのように変遷するかを示している。この例に示されているように、年金の支給項目は多岐にわたり、家族構成に応じて適用される項目が変わったりもする。このため、年金の受給金額を計算してその計算結果を表示する特許文献１のようなシステムを利用し、年金の支給内容を参照することが考えられる。
【先行技術文献】
【特許文献】
【０００３】
【特許文献１】特開２００１−３２５４４４号公報
【非特許文献】
【０００４】
【非特許文献１】「年金ガイド  見てわかる年金ＡｔｏＺ」  財団法人生命保険文化センター  ２００７年１１月改訂版
【発明の概要】
【発明が解決しようとする課題】
【０００５】
特許文献１は、単に生年月日等の条件を入力した結果に基づいて年金受給が開始される年齢である６０歳〜６５歳の受給金額を表示するものであり、支給項目の詳細等を家族構成に応じて表示するものではない。またこのように、入力情報に基づいて年金の支給に関する情報をコンピュータに表示させる技術は従来から存在する。しかし、かかる装置では、いろいろな項目に関する情報を入力情報に基づいて自動で表示することができて簡便であるといえるが、家族構成などの条件をさまざまに変えていろいろな項目に関する情報を表示しつつ説明するためには、いちいち情報を入力しないといけない。このため、年金や保険の内容を説明するための装置としては必ずしも使いやすいものではない。
【０００６】
本発明の目的は、年金又は保険金の支給に関する情報をさまざまな条件に基づいて簡易な構成で表示することができる支給情報表示装置を提供することにある。
【課題を解決するための手段】
【０００７】
本発明の支給情報表示装置は、年金や保険の加入者の年齢を表示する年齢表示が形成された加入者年齢表示部材と、年金や保険の加入者の家族の年齢を表示する年齢表示が形成された家族年齢表示部材とを備えている。これらの年齢表示部材はそれぞれ一方向に往復移動可能である。また、これらの年齢表示部材の少なくともいずれかにおける年齢表示と年金又は保険金の支給年齢とを関連付ける表示である支給表示が形成された支給表示部材を備えている。そして、これらの年齢表示部材の年齢表示において１歳分に相当する間隔が互いに等しくなっている。
【０００８】
本発明の支給情報表示装置によると、加入者とその家族の年齢を表示する年齢表示部材がそれぞれ設けられており、その年齢表示と年金や保険金の支給年齢とを関連付ける表示が形成された支給表示部材が設けられている。したがって、どの年齢でどのような支給がなされるかを一見して参照しやすい。また、加入者とその家族の年齢を表示する部材はいずれも一方向に沿って移動可能であり、年齢表示中の１歳分の間隔が２つの部材において互いに等しくなっている。したがって、例えば加入者及び家族の年齢を何らかの基準の時点に合わせた上で支給表示部材を使用すると、加入者及び家族の両方の年齢条件を加味した年金や保険金の支給年齢に関する情報を表示できる。このように、家族構成に応じた年金や保険金の支給に関する情報を簡易な構成で見やすく表示する装置が実現する。なお、本発明は、年金の支給情報に応用されても保険金の支給情報に応用されてもどちらでもよいし、両方の情報を同時に表示するものであってもよい。
【０００９】
また、本発明においては、支給表示が、加入者年齢表示部材及び家族年齢表示部材の少なくともいずれかに形成されていてもよい。これによると、年齢表示部材に直接支給表示が形成されているので、支給年齢と年齢表示との対応を速やかに表示できる。
【００１０】
また、本発明においては、支給表示部材が、加入者年齢表示部材及び家族年齢表示部材の近傍に着脱可能であってもよい。これによると、支給表示部材が年齢表示部材の近傍に着脱可能であるので、さまざまな条件に応じて支給表示部材を年齢表示部材に対して適切な位置に配置できる。
【００１１】
また、本発明においては、支給表示が、支給項目の違いに応じて異なっており、支給項目ごとの説明書きを表示する説明表示部材をさらに備えていることが好ましい。これによると、支給項目に応じたより詳しい説明を提供できる。
【００１２】
また、本発明においては、説明表示部材が表示する説明書きと支給表示とを支給項目ごとに関連付ける表示が２つの年齢表示部材及び支給表示部材の少なくともいずれかに形成されていることが好ましい。これによると、支給項目に応じた説明書きを速やかに参照することができる。
【００１３】
また、本発明においては、前記年齢表示部材が、前記一方向に沿って長尺に形成されており、複数の側面を有する角柱形状を有しており、前記側面ごとに前記年齢表示が形成されていてもよい。これによると、側面ごとに年齢表示が形成されているので、支給項目ごとに別の年齢表示を使用することができる。
【図面の簡単な説明】
【００１４】
【図１】本発明の一実施形態である年金説明ボードの正面図である。
【図２】図２（ａ）は、年金説明ボードの内部構成を示す図１のＩＩ−ＩＩ線断面である。図２（ｂ）は図２（ａ）の部分斜視図である。
【図３】年金説明ボードの背面図である。
【図４】図４（ａ）は説明冊子の正面図である。図４（ｂ）は、説明冊子の”遺族年金”に関するページを開いた図である。
【図５】本実施形態の一変形例における年齢表示バー周辺の斜視図である。
【図６】図６（ａ）は、さらに別の変形例に係る年金説明ボードの一部の構成を示す正面図である。図６（ｂ）は、図６（ａ）の一転鎖線で囲まれた領域の斜視図である。
【図７】図６の年齢表示バーの正面図である。
【図８】図８（ａ）は、図６（ａ）において一転鎖線で囲まれた領域の側面図である。図８（ｂ）及び図８（ｃ）は、図８（ａ）の状態から年齢表示バーを回転させた状態の図である。
【発明を実施するための形態】
【００１５】
本発明の好適な一実施形態である年金説明ボード１（支給情報表示装置）について説明する。図１は、年金説明ボード１の正面図である。図２（ａ）は、年金説明ボード１の内部構成を示す図１のＩＩ−ＩＩ線断面である。図２（ｂ）は図２（ａ）の軸３３周辺の斜視図である。図２（ａ）では本体ケース２が省略されており、図２（ｂ）では、さらにホワイトボード３２が省略されている。
【００１６】
年金説明ボード１の本体ケース２は、ほぼ直方体の形状を有する内部が空洞の部材である。本体ケース２の正面には、内部の空洞の開口である表示窓１１〜１８が形成されている。本体ケース２の内部には、年齢表示バー２１〜２５（加入者年齢表示部材、家族年齢表示部材）、基準時表示盤３１、及び、ホワイトボード３２が収容されている。
【００１７】
年齢表示バー２１〜２５は、Ｘ方向に互いに離隔した軸３３及び３４間に架け渡された無端のテープ状の部材である。軸３３及び３４は、互いに同じ大きさ且つ形状の円筒形の部材であり、それぞれ両端が本体ケース２に固定されている。軸３３及び３４には、環状の固定部３３ａ及び３４ａが複数形成されている。年齢表示バー２１〜２５はこれらの固定部３３ａ及び３４ａの間に配置されており、これにより、軸３３及び３４の軸方向に沿ってずれないようになっている。年齢表示バー２１〜２５の正面には、前方に向かって突出するつまみ２１ｘ〜２５ｘが設けられている。つまみ２１ｘ〜２５ｘを手でつまんで図２（ａ）のＢ方向に動かすと、軸３３及び３４の周囲を年齢表示バー２１〜２５が移動する。
【００１８】
年齢表示バー２１〜２５の正面にはＸ方向に関して互いに同じ間隔でそれぞれ等間隔に目盛りが振られており、各目盛り間に対応する位置には年齢を示す数字の記載が形成されている。年齢を示す数字は、Ｘ方向に向かって値が１つずつ増えるように記載されている。つまみ２１ｘ〜２５ｘを手でつまんで動かすことにより、年齢表示バー２１〜２５の年齢表示をＸ方向に往復移動させることができる。年齢表示バー２１〜２５において年齢を表示する目盛りはいずれも同じ間隔で振られているので、例えば年齢表示バー２１〜２５において、Ｘ方向に関して所定の位置の年齢をそれぞれ参照することにより、ある時点での家族の年齢構成を参照することができる。
【００１９】
年齢表示バー２１〜２５には、年金の支給期間に関する情報を示すマーカ２１ａ等（支給表示）が形成されている。マーカ２１ａ及び２２ｃは、年齢表示バー２１及び２２の年齢表示において、６０歳から７０歳までを示す領域に亘って連続的に形成されている。このマーカは、老齢年金において”繰り上げ支給”及び”繰り下げ支給”に関する期間であることを示している。つまり、６０歳〜６４歳までの年齢において老齢年金を繰り上げ支給可能であること、６６歳からの繰り下げ支給において、７０歳までの年齢が加算率が変化する期間であることを示している。
【００２０】
マーカ２２ａ〜２５ａは、遺族年金の支給に関する期間を示している。マーカ２２ａは、年齢表示バー２２の２９歳までを示す領域に亘って連続的に形成されており、マーカ２３ａ〜２５ａは、年齢表示バー２３〜２５の０歳から１８歳までを示す領域に亘って連続的に形成されている。年齢表示バー２２には、マーカ２２ａに重なるように丸に「１」の記号２２ｂが形成されている。この番号は、後述の説明冊子に記載される説明文と関連付けるためのものである。マーカ２２ｄは、年齢表示バー２２の４０歳から６４歳までを示す領域に亘って連続的に形成されており、中高齢寡婦加算に関する期間であることを示している。これらのマーカ２１ａ〜２５ａ、２２ｃ、２２ｄは、年金の支給項目の違いに応じて色分けされている。
【００２１】
年齢表示バー２１〜２５は互いに上下方向に所定の間隔で配列されており、それぞれ”世帯主”、”配偶者”、”１人目の子供”、”２人目の子供”及び”３人目の子供”の年齢を表示するためのものである。これに対応して、本体ケース２のＸ方向に関して端部には、上下方向に関して年齢表示バー２１〜２５に対応する位置に「世帯主」、「配偶者」、「子１」、「子２」及び「子３」という文字が記載されている。Ｘ方向に関してこれらの記載の隣には表示窓１２〜１６が形成されており、これらの表示窓１２〜１６を通じて年齢表示バー２１〜２５の年齢表示箇所の一部がそれぞれ前方から視認できる。本実施形態において表示窓１２〜１６を通じて視認できるのは、年齢表示バー２１〜２５のうち、３歳分の年齢に相当する部分となっているが、少なくとも年齢表示バー２１〜２５のうち、１歳分の年齢に相当する部分が視認できるようになっていればよい。
【００２２】
表示窓１２の上方には表示窓１１が形成されており、表示窓１１を通じて基準時表示盤３１の一部が外部から視認できる。基準時表示盤３１には、「現在」、「１０年後」、「２０年後」などの文字が記載されており、これらの文字が表示窓１１から視認できるようになっている。基準時表示盤３１の上端は本体ケース２の上方に露出しており、ここを手でつまんでＡ方向に回転させることで、表示窓１１に表示される文字が「現在」、「１０年後」、「２０年後」の間で変更できるようになっている。これにより、表示窓１２〜１６から視認できる年齢が「現在」、「１０年後」、「２０年後」などの年齢を表示することとしている。
【００２３】
Ｘ方向に関して表示窓１２〜１６のさらに隣には表示窓１７が配置されている。表示窓１７は、正面視においてＸ方向に長尺な長方形の形状を有し、上下方向に年齢表示バー２１〜２５を跨ぐように形成されている。年齢表示バー２１〜２５において表示窓１２〜１６による表示部分より大きい年齢を示す部分が表示窓１７を通じて前方から視認できる。本実施形態においては、年齢表示バー２１〜２５のうち、約４０歳分の年齢に相当する部分を前方から視認できる。
【００２４】
ホワイトボード３２は、正面に専用ペンでペン書きが可能な記載面３２ａを有しており、さらに内部に永久磁石が設けられることで、記載面３２ａにマグネット等を吸着させることができる。ホワイトボード３２は、年齢表示バー２１〜２５において年齢表示が形成された面とは反対側の面に記載面３２ａが近接するように配置されている。
【００２５】
ホワイトボード３２の記載面には、年金の支給項目が表の面に記載された支給項目ラベル４１及び４２（支給表示部材）や、矢印型の矢印ラベル４３、平均寿命などのその他の情報を表示するための汎用ラベル４４が貼り付けられている。ラベル４１〜４４の裏面はいずれも磁気シートになっており、ホワイトボード３２の記載面３２ａに着脱可能である。支給項目ラベル４１は、老齢年金の支給項目である”老齢基礎年金”や”振替加算”、”加給年金”、遺族年金の支給項目である”中高齢寡婦加算”や”経過的寡婦加算”、”遺族基礎年金”、”遺族厚生年金”などに対応するラベルであり、これらの項目名がそれぞれ記載されている。このうち、”遺族厚生年金”及び”経過的寡婦加算”に対応する支給項目ラベル４１には、丸に「２」の記号４１ａ及び丸に「３」の記号４１ｂが形成されている。これらの番号は、後述の説明冊子に記載される説明文と関連付けるためのものである。
【００２６】
また、支給項目ラベル４２は、老齢年金の支給項目である”部分年金”に対応するラベルであり、「部分年金Ａ」の記載は”報酬比例部分”の部分年金に対応し、「部分年金Ｂ」の記載は”定額部分”の部分年金に対応している。本体ケース２においてホワイトボード３２の下部に相当する領域には表示窓１８が形成されている。表示窓１８は、正面視においてＸ方向に長尺な長方形の形状を有しており、ここからホワイトボード３２の記載面３２ａの下部領域が前方に露出している。この領域には多数のラベルを待機させておくことができる。
【００２７】
図３は、年金説明ボード１の背面図である。本体ケース２の背面には、説明冊子６１〜６６（説明表示部材）を収容するポケット５１〜５６が設けられている。ポケット５１〜５６には「Ａ」〜「Ｂ」の文字がそれぞれ記載されている。ポケット５１〜５３は本体ケース２の上半分に配置されており、Ｘ方向に沿って等間隔に配列されている。ポケット５４〜５６はポケット５１〜５３の下方に配置されており、Ｘ方向に沿って等間隔に配列されている。
【００２８】
ポケット５１〜５３には説明冊子６１〜６３が収容されている。説明冊子６１〜６３は、家族構成に子供が含まれない場合の年金支給について説明する冊子であり、ポケット５１〜５３の左方にはこのことを示す「子供なし」の表示がなされている。ポケット５４〜５６には説明冊子６４〜６６が収容されている。説明冊子６４〜６６は、家族構成に子供が含まれている場合の年金支給について説明する冊子であり、ポケット５４〜５６の左方にはこのことを示す「子供あり」の表示がなされている。また、説明冊子６１〜６６は、”国民年金”、”厚生年金”及び”共済年金”の３つの支給項目に関するものであり、説明冊子６１及び６４が”国民年金”に、説明冊子６２及び６５が”厚生年金”に、説明冊子６３及び６６が”共済年金”にそれぞれ対応する。説明冊子６１〜６６の下方には、このことを示す「国民年金」、「厚生年金」及び「共済年金」の記載がある。
【００２９】
一例として説明冊子６２について説明する。図４（ａ）は、ポケット５２から取り出した説明冊子６２の正面図である。説明冊子６２の表紙には、ポケット５２に対応することを示す「Ｂ」の記載がある。説明冊子６２には、”老齢年金”、”遺族年金”及び”障害年金”の３つの支給項目のそれぞれについて説明するページが設けられており、各ページの端縁には冊子を閉じた状態で外部から視認できる見出しが設けられている。
【００３０】
図４（ｂ）は、説明冊子６２の”遺族年金”に関するページを開いた図である。説明冊子６２の”遺族年金”に関するページには、”子供がない場合”の”厚生年金”における”遺族年金”の支給に関する説明書きがなされている。この説明書きには、遺族基礎年金、遺族厚生年金、中高齢寡婦加算、老齢基礎年金、経過的寡婦加算に関する説明が含まれている。また、これらの記載には、丸に「１」〜「３」の注意書きが含まれている。これらの注意書きは、年齢表示バー２２に表示されている丸に「１」の記号２２ｂに対応する説明や、支給項目ラベル４１に表示されている丸に「２」の記号４１ａ及び丸に「３」の記号４１ｂに対応する説明書きである。
【００３１】
記号２２ｂに対応する説明文は、子供がない場合の遺族厚生年金において、世帯主が死亡した際に３０歳未満の配偶者には世帯主の死亡から５年間のみ支給されることを示している。記号４１ａに対応する説明文は、遺族厚生年金に加えて老齢基礎年金の支給を受けるという組み合わせの選択が可能であることを示している。記号４１ｂに対応する説明文は、経過的寡婦加算の支給金額が年齢によって異なること、その金額は別表を参照すべきことを示している。なお、別表は本年金説明ボード１に添付されてもよいし、別の冊子を参照するものでもよい。説明冊子６２の”老齢年金”、”障害年金”のページには、”遺族年金”のページと同様に、これらの支給項目に関する説明文が記載されている。
【００３２】
この他、説明冊子６１、６３〜６６においても説明冊子６２と同様に、子供あり又は子供なしで、国民年金、厚生年金又は共済年金の場合の老齢年金、遺族年金及び障害年金の年金支給に関する説明書きがなされている。
【００３３】
以下、年金説明ボード１の使用方法について説明する。まず、年齢表示バー２１〜２５をつまみ２１ｘ〜２５ｘをつまんで動かすことにより、世帯主、配偶者、子の年齢を設定する。例えば、図１には、世帯主、配偶者、３人の子供の現在の年齢が、それぞれ２８歳、２６歳、３歳、１歳、０歳に設定されている。
【００３４】
次に、別表から男女別の平均年齢を参照し、汎用ラベル４４を年齢表示バー２１及び２２の近傍の、参照した平均年齢に対応する位置に配置する。なお、図１のように、年齢表示バー２１及び２２の平均年齢に相当する部分が表示窓１７から見えていない場合には、配置を省略してもよい。
【００３５】
次に、支給項目ラベル４１及び４２や矢印ラベル４３を、年齢表示バー２１〜２５の近傍の支給項目に応じた支給年齢に対応する位置に配置する。図１では例えば、年齢表示バー２１の近傍の位置であって、”報酬比例部分”の部分年金の支給が開始される年齢である６０歳に対応する位置に、矢印ラベル４３が配置され、さらにその矢印ラベル４３の隣りに「部分年金Ａ」と記載された支給項目ラベル４２が配置されている。
【００３６】
また、年齢表示バー２１の近傍の位置であって、”加給年金”の支給が開始される年齢である６５歳に対応する位置に、矢印ラベル４３が配置され、さらにその矢印ラベル４３の隣りに「加給年金」と記載された支給項目ラベル４１が配置されている。また、年齢表示バー２２の近傍の位置であって、”中高齢寡婦加算”の支給が可能な範囲内の年齢である４４歳に対応する位置に、矢印ラベル４３が配置され、さらにその矢印ラベル４３の隣りに「中高齢寡婦加算」と記載された支給項目ラベル４１が配置されている。また、年齢表示バー２５の近傍であって、”遺族基礎年金”の支給が終了する年度に関連する末子の１８歳に対応する位置に、矢印ラベル４３が配置され、さらにその矢印ラベル４３の隣りに「遺族基礎年金」と記載された支給項目ラベル４１が配置されている。このように、各ラベルは、年齢表示バー２１〜２５の年齢表示と各支給項目の支給年齢とを関連付ける表示として機能する。
【００３７】
なお、ホワイトボード３２の記載面３２ａは、上記のようにラベルを貼り付けるために利用されるのみならず、専用ペンによるペン書きも可能である。これを利用して、年齢表示バー２１〜２５の周囲や表示窓１８内の領域にメモ書きなどを施すことにより、年金の支給に関する情報等をさらに補ってもよい。
【００３８】
以上説明したように、本実施形態の年金説明ボード１によると、年齢表示バー２１〜２５が家族それぞれの年齢を表示しつつ、ラベル４１〜４３が年齢表示と支給年齢との関連付けを表示するので、どの年齢でどのような支給がなされるかを一見して参照しやすい。具体的には、年齢表示バー２１〜２５において年齢を表示する目盛りは、Ｘ方向に関して同じ間隔でそれぞれ振られている。つまり、１歳分の間隔が年齢表示バー２１〜２５において互いに等しい。これにより、表示窓１２〜１６に各家族のある時点の年齢をセットすると、表示窓１７からは、Ｘ方向に関する所定の位置の年齢表示バー２１〜２５の表示を参照することにより、各時点における家族の年齢構成を把握することができる。また、年齢表示バー２１〜２５のそれぞれの近傍にラベル４１〜４３を配置することで、各家族の年齢条件を加味した年金の支給に関する総合的な情報を表示することができる。
【００３９】
（第１の変形例）
図５は、本実施形態の第１の変形例に係る年金説明ボード１０１の一部の構成を示す斜視図である。なお、年金説明ボード１０１の構成の多くは上述の年金説明ボード１の構成と同様であるため、適宜図示及び説明を省略する。この変形例では、上述の年齢表示バー２１及び２２の代わりに、Ｘ方向に長尺な四角柱の形状を有する年齢表示バー１２１及び１２２が用いられる。
【００４０】
年齢表示バー１２１において、面１２１ａ、１２１ｂ及び、面１２１ａと対向する面の３つの面には、年齢表示バー２１と同様の年齢を表示する目盛りがそれぞれ振られている。そして、これらの３つの面には、それぞれ”国民年金”、”厚生年金”及び”共済年金”における支給年齢に関する表示が形成されている。これらの表示は、各支給項目における支給年齢と各面に形成された目盛りとを関連付ける表示であり、上述のマーカ２１ａ等と同様の表示であってもよい。
【００４１】
また、年齢表示バー１２２において、面１２２ａ、１２２ｂ及び、面１２２ａと対向する面の３つの面には、年齢表示バー２２と同様の年齢を表示する目盛りがそれぞれ振られている。そして、これらの３つの面には、それぞれ”国民年金”、”厚生年金”及び”共済年金”における支給年齢に関する表示が形成されている（不図示）。これらの表示は、各支給項目における支給年齢と各面に形成された目盛りとを関連付ける表示であり、上述のマーカ２２ａ等と同様の表示であってもよい。
【００４２】
年金説明ボード１０１は、年齢表示バー１２１及び１２２を支持する支持板１０２及び１０３を有している。年齢表示バー１２１及び１２２の端部は、支持板１０２に形成された貫通孔１０２ａ及び１０２ｂを貫通している。貫通孔１０２ａ及び１０２ｂは年齢表示バー１２１及び１２２より一回り大きく、後述のように年齢表示バー１２１や１２２がＣ方向に回転しても、バーが貫通孔の内表面に当たって回転を邪魔することがないように形成されている。また、支持板１０３にも同様の貫通孔が形成されており、年齢表示バー１２１や１２２において支持板１０２側の端部とはＸ方向に関して反対側の端部がこの貫通孔を貫通している。
【００４３】
支持板１０２及び１０３には、年齢表示バー１２１及び１２２よりわずかに大きい貫通孔１０４ａが形成された回転部材１０４が設けられている。回転部材１０４は、Ｘ方向に沿った回転軸回りのＣ方向に回転可能に支持板１０２及び１０３に支持されている。貫通孔１０４ａには年齢表示バー１２１及び１２３の端部がＸ方向にスライド可能に貫通している。回転部材１０４には回転つまみ１０４ｂが形成されており、この回転つまみ１０４ｂをつまんで回転部材１０４をＣ方向に回転させることで、年齢表示バー１２１や１２２において前方を向く面を変更することができる。
【００４４】
以上の構成により、本変形例の年金説明ボード１０１では、回転部材１０４を回転させることで、”国民年金”、”厚生年金”及び”共済年金”の各支給項目に応じた年金支給に関する情報を表示することができる。また、年金説明ボード１と同様に、年齢表示バー１２１や１２２をＸ方向に沿って移動させることができるため、各家族の年齢条件を加味した年金の支給に関する総合的な情報を一見して参照することができる。
【００４５】
（第２の変形例）
図６（ａ）は、本実施形態の第２の変形例に係る年金説明ボード２０１の一部の構成を示す正面図である。図６（ｂ）は、図６（ａ）の一転鎖線で囲まれた領域の斜視図である。図６（ｂ）においては図を見やすくするため、支持板２０３を破線で表示している。年金説明ボード２０１の構成の多くは上述の年金説明ボード１の構成と同様であるため、適宜図示及び説明を省略する。この変形例では、上述の年齢表示バー２１〜２５の代わりに、Ｘ方向に長尺な三角柱の概略形状を有する年齢表示バー２２１〜２２５が用いられる。
【００４６】
年齢表示バー２２１〜２２５の構成についてより詳細に説明する。年齢表示バー２２１〜２２５は互いに共通の構成を有しており、図７（ａ）〜図７（ｃ）は、年齢表示バー２２１〜２２５の共通構成を示す図である。年齢表示バー２２１〜２２５は、いずれもＸ方向に長尺な三角柱の概略形状を有する中空の筒状部材２４１〜２４３の３つの部材を有している。筒状部材２４１の図７（ａ）中左端部には「国民年金」、「厚生年金」及び「共済年金」の文字が記載されている。これらの３つの文言は筒状部材２４１の３つの側面にそれぞれ記載されており、図７（ａ）ではこのうち１つの面が正面に向いている。筒状部材２４２及び２４３の各側面には年齢表示が形成されている。本変形例では、筒状部材２４２に２０歳〜４０歳までの年齢表示が形成され、筒状部材２４３に４１歳〜９０歳までの年齢表示が形成されている。これらの年齢表示は、筒状部材２４２及び２４３の３つの側面にそれぞれ同様に形成されている。
【００４７】
筒状部材２４１〜２４３は、互いに入れ子状に挿入されている。つまり、筒状部材２４１は、Ｘ方向に直交する断面に関して筒状部材２４２及び２４３より若干小さく形成されており、筒状部材２４２及び２４３に挿入されて、これらをＸ方向に関して貫通している。点線２４１ａは筒状部材２４１において筒状部材２４２及び２４３の内部にある部分を示している。また、筒状部材２４２は、Ｘ方向に直交する断面に関して筒状部材２４３より若干小さく形成されており、図７において左方から筒状部材２４３の内部に挿入されている。点線２４２ａは、筒状部材２４２において筒状部材２４３の内部にある部分を示している。これにより、筒状部材２４２及び２４３は、筒状部材２４１に対してＸ方向に沿ったスライド移動が可能である。
【００４８】
図７（ａ）に示される状態は、年齢表示バー２４２及び２４３に２０歳〜９０歳までの領域が連続的に年齢表示されている状態である。この状態では、図７（ａ）に示すように本体ケース２の表示窓１７から３１歳〜８０歳の領域が表示されることになる。図７（ａ）の状態から筒状部材２４３のみを左方へとスライド移動させると、例えば図７（ｂ）のように表示窓１７には４１歳〜９０歳の領域が表示されることとなる。また、図７（ｂ）の状態から筒状部材２４２及び２４３を筒状部材２４１に対して右方へとスライド移動させると、例えば図７（ｃ）のように２０台後半〜３０歳と、４１歳〜８０歳付近の領域が表示窓１７から表示された状態となる。
【００４９】
このように、年齢表示バー２２１〜２２５のそれぞれにおいて、筒状部材２４２及び２４３を筒状部材２４１に対してスライド移動させ、年齢表示バー２２１〜２２５同士の年齢表示の位置関係を調整することで、年齢表示バー２１〜２５と同様に家族の年齢構成を表示することができる。
【００５０】
筒状部材２４２及び２４３の３つの側面には、それぞれ”国民年金”、”厚生年金”及び”共済年金”における支給年齢に関する表示が形成されている（不図示）。これらの表示は、各支給項目における支給年齢と各側面に形成された年齢表示とを関連付ける表示であり、上述のマーカ２２ａ等と同様の表示であってもよい。また、年齢表示バー２２１〜２２５には、年齢表示バー２１〜２５と同様に、支給年齢に関する表示が家族別に形成されている。
【００５１】
図６（ｂ）に示すように、年齢表示バー２２１〜２２５の左端部は、支持板２０２及び２０３によって支持されている。なお、年齢表示バー２２１〜２２５の右端部とその周辺の構成は左端部とその周辺の構成と同様である。支持板２０２及び２０３は、上下方向に長尺な直方体の概略形状を有する部材であり、年齢表示バー２２１〜２２５の端部を前後方向から挟んでいる。支持板２０２には支持板２０３に向かって突出する三角形状の突起２０２ａが複数形成されている。突起２０２ａは、支持板２０２の長尺方向に沿って互いに等間隔に並んでいる。支持板２０３にも支持板２０２に向かって突出する三角形状の突起２０３ａが複数形成されている。突起２０３ａは、支持板２０３の長尺方向に沿って互いに等間隔に並んでいる。
【００５２】
一方、年齢表示バー２２１〜２２５の端部には、端面２２１ａ等からＸ方向に突出する突起２３１〜２３３が形成されている。突起２３１〜２３３は、それぞれ突起２０２ａとほぼ合同な三角形の断面形状を有する三角柱状に形成されている。突起２３１及び２３２の間、突起２３２及び２３３の間、並びに、突起２３３及び突起２３１の間には、それぞれ突起２０２ａと噛み合う凹部が形成されている。これにより、例えば図６（ｂ）に示すように、突起２３２及び２３３の間に突起２０２ａがちょうど噛み合った状態では、年齢表示バー２２１や２２２等が、いずれかの側面が正面に向いた状態で安定する。
【００５３】
図８（ａ）は、図６（ａ）において一転鎖線で囲まれた領域の側面図である。支持板２０３は、突起２０３ａに挟まれた端面２０３ｂが年齢表示バー２２１〜２２５から離隔するように配置されている。そして、図８（ａ）のＹ方向に沿ったスライド移動が可能になるように本体ケース２に支持されている。
【００５４】
図８（ａ）の状態から支持板２０３を上方へと移動させると、図８（ｂ）のように突起２０３ａが突起２３１に当接し、突起２３１を上方へと押圧する。ここで、突起２０３ａは、年齢表示バー２２１〜２２５に同時に当接するように配置されている。これにより、年齢表示バー２２１〜２２５は、それぞれＸ方向に沿った回転軸回りのＤ方向に回転しつつ、一斉に図中上方へと移動する。そして、図８（ｃ）のように、支持板２０２において突起２０２ａの間の端面２０２ｂに突起２３２が当接した状態で一旦安定な位置を取る。この状態からさらに支持板２０３を上方へと移動させると、年齢表示バー２２１〜２２５はＤ方向に回転しつつ、さらに上方へと移動する。そして、図８（ａ）で突起２３２及び２３３が挟んでいた突起２０２ａの左隣の突起２０２ａが突起２３１及び２３２の間にちょうど噛み合った状態で安定な位置を取る。このとき、年齢表示バー２２１〜２２５の側面のうち、図８（ａ）において正面を向いていた側面とは別の側面が正面を向く。支持板２０３を下方へと移動させた際は、これらとは逆の動きとなる。
【００５５】
以上の構成により、支持板２０３をＹ方向に移動させることで、年齢表示バー２２１〜２２５の３つの側面において正面を向いている側面を一斉に変更することができる。上記の通り、各側面には”国民年金”、”厚生年金”及び”共済年金”のそれぞれに対応する表示がなされている。したがって、第１の変形例と同様に、年齢表示バー２２１〜２２５を回転させることで”国民年金”、”厚生年金”及び”共済年金”の各支給項目に応じた年金支給に関する情報を表示することができる。
【００５６】
＜その他の変形例＞
以上は、本発明の好適な実施形態についての説明であるが、本発明は上述の実施形態に限られるものではなく、課題を解決するための手段に記載された範囲の限りにおいて様々な変更が可能なものである。
【００５７】
上述の実施形態では、年齢を表示するために年齢表示バー２１等に目盛りが形成されているが、目盛り以外の方法で年齢を表示してもよい。例えば、目盛りの代わりに色分けされた升目がＸ方向に関して配列されていてもよいし、目盛りがなく、年齢を示す数値だけが記載されていてもよい。また、上述の実施形態において、バー表面に形成される文字や数字、記号、目盛りは、印刷などにより表示されてもよいし、文字等の輪郭に沿って凸部や凹部が形成されることで表示されていてもよい。
【００５８】
また、上述の実施形態では、年齢表示バー２１等において目盛り同士の最小間隔が１歳に相当するように目盛りを振ってあるが、目盛り同士の最小間隔が２歳以上に相当したり１歳未満に相当したりするように振ってあってもよい。
【００５９】
また、上述の実施形態では、年齢表示と年金の支給年齢とを関連付ける表示を行う部材として、年齢表示バー２１〜２５に直接形成されたマーカ２１ａ等と支給項目ラベル４１等の各種のラベルとを併用しているが、マーカ２１ａのように年齢表示バー２１〜２５に直接形成された表示のみを使用してもよいし、ラベルのみを使用してもよい。
【００６０】
また、上述の実施形態では、支給項目ラベル４１等の各種のラベルを磁気シートにすることでホワイトボード３２に着脱可能としている。しかし、ホワイトボード３２の代わりにコルクボードを用いてラベルをピンで刺したり、ラベルを着脱可能な粘着シートにしたりするなど、その他の手段で着脱可能としてもよい。
【００６１】
また、上述の実施形態では、丸に「１」の記号２２ｂなどを記載することで、説明冊子６１等の記載とマーカ２２ａや支給項目ラベル４１等とを関連付けているが、その他の記号を用いて関連付けてもよいし、マーカや文字を色分けし、説明冊子６１等の説明書きもその色分けに対応する色で記載することにより関連付けてもよい。
【００６２】
また、上述の実施形態では、個人年金や公的年金の支給に関する情報を表示することを想定しているが、生命保険などのその他の保険に関する情報を表示してもよい。
【００６３】
また、上述の変形例では、年齢表示バーを四角柱や三角柱の形状とすることを想定している。しかし、その他の多角形の断面を有する角柱形状としてもよい。
【符号の説明】
【００６４】
１              年金説明ボード
２１〜２５      年齢表示バー
２１ａ〜２５ａ  マーカ
４１，４２      支給項目ラベル
６１〜６６      説明冊子
１０１          年金説明ボード
１２１，１２２  年齢表示バー
【図１】
2010262036.tif 000003
【図２】
2010262036.tif 000004
【図３】
2010262036.tif 000005
【図４】
2010262036.tif 000006
【図５】
2010262036.tif 000007
【図６】
2010262036.tif 000008
【図７】
2010262036.tif 000009
【図８】
2010262036.tif 000010